(57)【要約】【目的】本発明の目的は、押下操作のクリック感を良くし、操作性の良い押下スイッチ及び多方向入力装置を提供することにある。【構成】多方向入力装置Ａにおける押下スイッチ７００は、操作部材４００の下方に下ケース２２０の底板部２１１を貫通して上下方向に移動自在に設けられたキートップ７１０と、下方向に移動したキートップ７１０当接される弾性変形可能なドーム型の可動切片７２０と、基板１００上の可動切片７２０の端部７２１の下側に設けられた一方の固定電極７３１と、基板１００上の弾性変形した可動切片７２０の中央部７２２と接触し得る位置に設けられた他方の固定電極７３２と、可動切片７２０の端部７２１と一方の固定電極７３１とを電的的に接続するスペーサ７４０とを具備することを特徴としている。【選択図】　　　図１
2004103253.tif 000002
【特許請求の範囲】
【請求項１】
基板上に設けられる押下スイッチにおいて、基板上に固定されたケースに上下方向に移動自在に設けられたキートップと、下方向に移動した前記キートップに当接される弾性変形可能な断面視略逆凹字型の可動接片と、前記基板上の前記可動接片の端部の下側に設けられる一方の固定電極と、前記基板上の弾性変形した前記可動接片の中央部と接触し得る位置に設けられる他方の固定電極と、前記可動接片の端部と前記一方の固定電極とを電気的に接続するスペーサとを具備することを特徴とする押下スイッチ。
【請求項２】
請求項１記載の押下スイッチにおいて、前記可動接片は略円形のドーム型をしている一方、前記一方の固定電極及び前記スペーサは略環状体であることを特徴とする押下スイッチ。
【請求項３】
請求項１又は２記載の押下スイッチにおいて、前記ケースには、前記押下スイッチの可動接片が嵌まり込む凹部が設けられている一方、前記押下スイッチのスペーサには、前記ケースと係合する係合手段が設けられていることを特徴とする押下スイッチ。
【請求項４】
請求項１、２又は３記載の押下スイッチにおいて、前記ケースには、前記キートップが摺動可能に嵌合する嵌合部が設けられており、前記嵌合部は前記キートップが前記可動接片の中央部に接触し得るように配設されていることを特徴とする押下スイッチ。
【請求項５】
基板上に固定されるケースと、ケース内にＸーＹ方向に回動自在に支持される上下一組の回動部材と、上下一組の回動部材の中央部にそれぞれ設けられたＹーＸ方向に延びる長孔を貫通し、周囲方向に操作されることにより各回動部材を回動させると共に、押下操作が可能とされた操作部材と、操作部材及び／又は回動部材を中立位置に弾性的に保持する保持機構と、各回動部材の回動角度に対応する信号を検出する一組の信号検出手段と、操作部材の押下操作によりスイッチングされる請求項１、２、３又は４の押下スイッチとを備えた多方向入力装置において、前記押下スイッチのキートップは、操作部材の下方にケースの底板部を貫通して上下方向に移動自在に設けられていることを特徴とする多方向入力装置。
【発明の詳細な説明】
【０００１】
【発明の属する技術分野】
本発明は、押下操作されることにより各種信号の入力を行う押下スイッチ及び多方向入力装置に関する。
【０００２】
【従来の技術】
ジョイスティックと呼ばれるこの種の多方向入力装置には、操作部材を昇降可能に構成し、その押下操作によって操作される押下スイッチを備えているものがある。この押下スイッチ付き多方向入力装置は、基板上に固定されるケースと、ケース内にＸーＹ方向に回動自在に支持される上下一組の回動部材と、上下一組の回動部材の中央部にそれぞれ設けられたＹーＸ方向に延びる長孔を貫通し、周囲方向に操作されることにより各回動部材を回動させると共に、押下操作が可能とされた操作部材と、操作部材及び／又は回動部材を中立位置に弾性的に保持する保持機構と、各回動部材の回動角度に対応する信号を検出する一組の信号検出手段と、操作部材の押下操作によりスイッチングされる押下スイッチとを備えられている。
【０００３】
この押下スイッチは、従来、操作部材の下方にケースの底板部を貫通して上下方向に移動自在に設けられたキートップと、キートップの下方に位置し、操作部材の押下操作に伴って下降したキートップに押下されると、弾性変形するドーム型の可動接片と、前記基板上に形成された接片であって、前記可動接片の端部が固定される一方、弾性変形した可動接片の中央部が接触する固定電極とを有している（特許文献１参照）。
【０００４】
【特許文献１】
特開２００１−８４８７６号公報（第４頁−５頁、図１、７）
【０００５】
【発明が解決しようとする課題】
しかしながら、前記押下スイッチは、可動接片の端部が固定電極に直接固定されているため、弾性変形する前記可動接片のストロークを長くすることができない。このため、前記押下スイッチは、クリック感が悪く、その結果、押下操作の操作性が悪いという欠点を有している。
【０００６】
本発明は、かかる事情に鑑みて創案されたものであって、その目的は、押下操作のクリック感を良くし、操作性の良い押下スイッチ及び多方向入力装置を提供することにある。
【０００７】
【課題を解決するための手段】
本発明に係る押下スイッチは、基板上に設けられる押下スイッチにおいて、基板上に固定されたケースに上下方向に移動自在に設けられたキートップと、下方向に移動した前記キートップに当接される弾性変形可能な断面視略逆凹字型の可動接片と、前記基板上の前記可動接片の端部の下側に設けられる一方の固定電極と、前記基板上の弾性変形した前記可動接片の中央部と接触し得る位置に設けられる他方の固定電極と、前記可動接片の端部と前記一方の固定電極とを電気的に接続するスペーサとを具備することを特徴としている。
【０００８】
このような構成によると、前記可動接片の端部と前記一方の固定電極と間にスペーサを介在させることができるので、弾性変形する前記可動接片の中央部のストロークを長くすることができる。
【０００９】
より好ましくは、前記可動接片は略円形のドーム型をしている一方、前記一方の固定電極及び前記スペーサは略環状体であることが望ましい。
【００１０】
より好ましくは、前記ケースには、前記押下スイッチの可動接片が嵌まり込む凹部が設けられている一方、前記押下スイッチのスペーサには、前記ケースと係合する係合手段とが設けられていることが望ましい。このような構成によると、前記可動接片は、前記ケースの凹部と前記スペーサによって位置規制されるため、組み込みズレがなくなる。
【００１１】
より好ましくは、前記ケースには、前記キートップが摺動可能に嵌合する嵌合部が設けられており、前記嵌合部は前記キートップが前記可動接片の中央部に接触し得るように配設されている。このため、前記キートップは、前記嵌合部に位置規制され、可動接片の中央に配置される。
【００１２】
本発明に係る多方向入力装置は、基板上に固定されるケースと、ケース内にＸーＹ方向に回動自在に支持される上下一組の回動部材と、上下一組の回動部材の中央部にそれぞれ設けられたＹーＸ方向に延びる長孔を貫通し、周囲方向に操作されることにより各回動部材を回動させると共に、押下操作が可能とされた操作部材と、操作部材及び／又は回動部材を中立位置に弾性的に保持する保持機構と、各回動部材の回動角度に対応する信号を検出する一組の信号検出手段と、操作部材の押下操作によりスイッチングされる上記押下スイッチとを備えた多方向入力装置において、前記押下スイッチのキートップは、操作部材の下方にケースの底板部を貫通して上下方向に移動自在に設けられていることを特徴としている。
【００１３】
【発明の実施の形態】
以下、本発明の実施の形態に係る多方向入力装置について図面を参照しながら説明する。図１は本発明の実施の形態に係る多方向入力装置の概略的断面図、図２は同装置の概略的斜視図、図３は同装置の下ケースを下から見た概略的斜視図、図４は同装置の下ケースを上から見た概略的斜視図、図５は図１のａ拡大図、図６は同装置の基板の概略的斜視図、図７は同装置の押下スイッチのスペーサの概略的斜視図、図８は図１のｂ拡大図である。
【００１４】
ここに掲げる多方向入力装置Ａは、基板１００上に固定されるケース２００と、ケース２００内にＸーＹ方向に回動自在に支持される上下一組の回動部材３１０、３２０と、上下一組の回動部材の中央部にそれぞれ設けられたＹーＸ方向に延びる長孔３１３、３２３を貫通し、周囲方向に操作されることにより回動部材３１０、３２０を回動させると共に、押下操作が可能とされた操作部材４００と、操作部材４００及び回動部材３１０、３２０を中立位置に弾性的に保持する保持機構５００と、回動部材３１０、３２０の回動角度に対応する信号を検出する一組の信号検出手段６００と、操作部材４００の押下操作によりスイッチングされる押下スイッチ７００とを備えている。以下、各部を詳しく説明する。
【００１５】
基板１００に取り付けられるケース２００は、その底板部が形成される下ケース２２０と、これに上方から被せられる上ケース２１０とを有する２ピース構造になっている。
【００１６】
下ケース２２０は、図３又は４に示すように、ほぼ四角形の底板部２２１を有している。この底板部２２１には、４隅のうち対向する２つの隅部に、後述する上ケース２１０の係止穴（図示しない）に係止される係止片２２２、２２２がネジで取り付けられている。また、底板部２２１の各辺の中央部には、回動部材３１０、３２０を支持する支持部２２３が上方に向けて各々延出されている。
【００１７】
底板部２２１の中央部には、円筒形状の嵌合部２２４が設けられており、嵌合部２２４には、後述する押下スイッチ７００のキートップ７１０（図５参照）が上下方向に摺動可能に嵌合する。なお、この嵌合部２２４は、内周面が断面視略逆凸字状にされている（図５参照）。
【００１８】
底板部２２１の裏面側（基板１００の対向面）には、嵌合部２２４と同心円の円柱形状の凹部２２５が設けられており、この凹部２２５には、後述する押下スイッチ７００の可動接片７２０（図５参照）が嵌合する。この凹部２２５の外周には、凹部２２５と同心円の円柱形状のスペーサ凹部２２６が設けられている。このスペーサ凹部２２６の外周には、底板部２２１の４隅と対向する位置に、後述する押下スイッチ７００のスペーサ７４０の係合片７４３（図７参照）と係合する係合穴２２７が設けられている。また、スペーサ凹部２２６の面上には、底板部２２１の４隅と対向する位置に、後述する押下スイッチ７００のスペーサ７４０の位置決め孔７４４（図７参照）に嵌合する凸部２２８が設けられている。
【００１９】
上ケース２１０は、下ケース２２０に被せられる下面が開放された角箱形の本体部２１１と、本体部２１１の直交する２側面に一体的に設けられたスライダ収容部２１２、２１２とを有している。本体部２１１の天板部分には、操作部材４００の上部を上方に突出させるために開口部２１３が設けられていると共に、下ケース２２０の係止片２２２、２２２が係止される係止穴（図示しない）が、本体部２１１の側壁に設けられている。また、本体部２１１の各側壁には、下ケース２２０の支持部２２３が下方から嵌合する切り込み部２１４が設けられている。
【００２０】
スライダ収容部２１２、２１２は、直進スライダー８００、８００をそれぞれ収容する本体部２１１の下部側面から側方に張り出した直方体状の箱であり、その下面は開口している。各スライダ収容部２１２、２１２の上面には、本体部２１１の側面に沿ったスリット状の開口部２１５、２１５が設けられている。
【００２１】
下ケース２２０に上ケース２１０を被せると、下ケース２２０の係止片２２２が上ケース２１０の本体部２１１の係止穴に係止される。これにより、下ケース２２０と上ケース２１０が固定される。また、下ケース２２０の支持部２２３が上ケース２１０の本体部２１１の切り込み部２１４に嵌合することにより、本体部２１１の各側面には、回動部材３１０，３２０の両端軸部を支持するための円形の開口部が形成される。
【００２２】
操作部材４００は、断面が円形の棒体部４１０と、棒体部４１０の下方に連設された回動軸部４２０と、回動軸部４２０の更に下方に連設された大径の円板部４３０と、円板部４３０の下面中央部に設けられた下に凸の半球状の凸部４４０とを有している。回動軸部４２０は、断面が上に凸の半円形をした蒲鉾形で、当該操作部材４００に直角な２方向に突出している。回動軸部４２０の軸心は、下方に凸の半球状の凸部４４０の中心と交差している。
【００２３】
上段の回動部材３１０は、両端部に断面が円形の回動軸部３１１、３１１を有し、その間に、上側へ凸のアーチからなる円弧部３１２を有している。円弧部３１２には、回動中心軸方向に延びる長穴３１３が、操作部材４００のガイド孔として設けられている。回動軸部３１１、３１１の一方の先端面には、ギヤ部３１４が一体的に形成されている。ギヤ部３１４は、上ケース２１０の本体部２１１の側方に突出し、一方のスライダ収容部２１２の開口部２１５の上方に位置している。ギヤ部３１４は、ここでは円弧面を下方に向けた扇状部材であり、その円弧面には平歯車状の歯部（図示しない）が形成されている。
【００２４】
下段の回動部材３２０は、上段の回動部材３１０の下方に直角に組み合わされており、回動部材３１０とほぼ同様の構成となっている。異なるのは、回動部材３２０の回動軸部（図示しない）の間に、上に凸の半球部３２１を有していることである。半球部３２１には、回動中心軸方向に延びる長孔３２２が、操作部材４００のガイド孔として設けられている。
【００２５】
半球部３２１の下面には、操作部材４００の円板部４３０が嵌合する凹部３２３が設けられている。凹部３２３は、操作部材４００が回動部材３２０の長孔３２２の方向に操作されたときの円板部４３０の回動を保証する。凹部３２３の内面には、操作部材４００の回動軸部４３０が嵌合する一対の凹状の軸受部３２４，３２４が、長孔３２２を挟んで設けられている。
【００２６】
操作部材４００及び回動部材３１０，３２０を中立位置に弾性的に保持するための保持機構５００は、上ケース２１０の本体部２１１内に昇降可能に嵌合する環状体の昇降スライダ５１０と、回動部材３２０，３２０の下方に配置されており且つ昇降スライダ５１０と下ケース２２０の底板部２２１との間に圧縮状態で収容されており、昇降スライダ５００を上方に付勢するスプリング５２０とを有している。
【００２７】
昇降スライダ５１０は、スプリング５２０の付勢により、操作部材４００の円板部４３０のフラットな下面、及び回動部材３１０，３２０の両端軸部の下面に形成されたフラット面に弾性的に面接触することにより、操作部材４００及び回動部材３１０，３２０を中立位置に直接保持する。なお、ここでは、操作部材４００及び回動部材３１０，３２０を保持するとしたが、どちらか一方を中立位置に保持すれば良い。
【００２８】
操作部材４００の押下操作によりスイッチングされる押下スイッチ７００は、図５に示すように、操作部材４００の下方に下ケース２２０の底板部２１１を貫通して上下方向に移動自在に設けられたキートップ７１０と、下方向に移動したキートップ７１０当接される弾性変形可能なドーム型の可動接片７２０と、基板１００上の可動接片７２０の端部７２１の下側に設けられた一方の固定電極７３１と、基板１００上の弾性変形した可動接片７２０の中央部７２２と接触し得る位置に設けられた他方の固定電極７３２と、可動接片７２０の端部７２１と一方の固定電極７３１とを電的的に接続するスペーサ７４０とを具備している。これが本願発明の特徴部分である。
【００２９】
この押下スイッチ７００のキートップ７１０は、断面視逆凸字型をしており、下ケース２２０の底板部２２１の中央部に形成された円筒形状の嵌合部２２４に、底板部２２１を貫通して挿入されている。これにより、キートップ７１０は、可動接片７２０の中央部７２２の上方に配置される。なお、下ケース２２０の嵌合部２２４は、内周面が断面視逆凸字状であるため、断面視逆凸字型のキートップ７１０が引っ掛かる。これにより、キートップ７１０は、自重により下ケース２２０の底板部２２１から下方に抜け落ちないようになっている。
【００３０】
キートップ７１０に当接される可動接片７２０は、円形のドーム型をしており、端部７２１（外周部）が後述するスペーサ７４０の環状体７４１を介して一方の固定電極７３１に電気的に接続されている一方、中央部７２２がキートップ７１０が当接すると、弾性変形するようになっている。可動接片７２０の直径は、下ケース２２０の凹部２２５の直径より小さくされており、これにより、下ケース２２０の凹部２２５に嵌合される。なお、可動接片７２０は、ここでは、円形のドーム型であるとしたが、断面視略逆凹字型のものであればよく、例えばアーチ型等に設計変更可能である。
【００３１】
一方の固定電極７３１は、図６に示すように、基板１００上に印刷により環状に形成されており、基板１００上に形成された＋側電極１１０に接続されている。一方、他方の固定電極７３２は、基板１００上に印刷により円形に形成されており、一方の固定電極７３１内に設けられている。他方の固定電極７３２は、この基板１００上に形成された−側電極１２０に接続されている。なお、一方の固定電極７３１を−側電極１２０と、他方の固定電極７３２を＋側電極１１０と接続することも可能である。
【００３２】
スペーサ７４０は、図５又は７に示すように、導電性を有する金属で構成されており、中央部に開口７４２が設けられた環状体７４１を有している。この環状体７４１の外周には、下ケース２２０の係合穴２２７と係合する４つの係合片７４３（係合手段）が上方に向けて延出されている。また、環状体７４１には、下ケース２２０の凸部２２８と嵌合する４つの位置決め孔７４４が設けられている。なお、スペーサ７４０は、環状体７４１に限定されず、環状に形成された一方の固定電極７３１の周方向に沿って断続的に設けることも可能である。また、スペーサ７４０の係合手段は、係合片７４３だけに限定されず任意であり、例えば、下ケース２２０から延出された凸樹脂をスペーサ７４０に設けた孔に挿入した後、熱溶着で固定するようにしても良い。
【００３３】
可動接片７２０を下ケース２２０の底板部２２１の凹部２２５に嵌め込んだ後、図８に示すように、スペーサ７４０の係合片７４３を下ケース２２０の係合穴２２７に係合させる。すると、下ケース２２０の凸部２２８がスペーサ７４０の位置決め孔７４４に嵌まり込む。これにより、スペーサ７４０は、下ケース７２０の底板部２２１に取り付けられる。スペーサ７４０が下ケース２２０の底板部２２１に取り付けられると、可動接片７２０は下ケース２２０の凹部２２５とスペーサ７４０との間に挟まれる。これにより、可動接片７２０は位置規制されるので、組み込みズレ等を防止でき、その結果、接触不良を防止することができる。
【００３４】
スペーサ７４０を下ケース２２０の底板部２２１に取り付けた後、基板１００をネジで取り付ける。すると、スペーサ７４０が可動接片７２０の端部７２１と一方の固定電極７３１との間に介在する。これにより、弾性変形する可動接片７２０の中央部７２２のストロークを長くすることができる。スペーサ７４０の厚さ寸法は、任意であり、スペーサ７４０の厚さ寸法を変えることで、弾性変形する可動接片７２０の中央部７２２のストロークの長さを変えることができる。
【００３５】
上ケース２１０のスライダ収容部２１２、２１２に収容された直進スライダ８００、８００は、上ケース２１０の本体部２１１の側面に沿った水平方向に移動可能であり、下ケース２２０の底板部２２１の側縁部によって下方への抜け止めがなされている。直進スライダ８００、８００の上部には、スライダ収容部２１２、２１２の上面に設けられたスリット状の開口部２１５、２１５を通ってスライダ収容部２１２、２１２の上方に突出する凸部８１０、８１０が設けられている。凸部８１０、８１０の上面には、直進スライダ８００、８００の移動方向にラックギヤ状の歯部が形成されている。一方の歯部は、回動部材３１０の一端部に形成された扇状のギヤ部３１４の歯部に噛み合う。一方、他方の歯部は回動部材３２０の一端部に形成された扇状のギヤ部の歯部とも同様に噛み合う。
【００３６】
直進スライダ８００、８００の下面には、図２に示すように、接触子９００、９００が取付けられている。接触子９００、９００は、スライダ収容部２１２、２１２の下面開口部を通して基板１００の表面に臨み、その表面に形成された抵抗回路（図示しない）に弾性的に接触する。これにより、ボリュームが構成される。これが信号検出手段６００となっている。なお、信号検出手段６００としては、ボリュームだけに限定されず、ボリューム以外の電気的センサ、磁気的センサ、光学的センサ等を用いることが可能である。
【００３７】
次に、本発明の実施形態に係る多方向入力装置Ａの機能について説明する。
【００３８】
操作部材４００を下段の回動部材３２０の長孔３２３の方向に傾動操作すると、上段の回動部材３１０が回動し、これによる信号検出手段６００の作動により、操作量に応じた抵抗値が得られる。即ち、信号検出手段６００では、回動部材３１０の回動によるギヤ部３１４の回動に伴って直進スライダ８００が移動し、接触子９００が対応する抵抗回路上を摺動することにより、操作量に応じた抵抗値が得られる。
【００３９】
操作部材４００を上段の回動部材３１０の長孔３１３の方向に傾動操作した場合は、下段の回動部材３２０が回動し、これによる信号検出手段６００の作動により、操作量に応じた抵抗値が得られる。即ち、信号検出手段６００では、回動部材３２０の回動によるギヤ部３２６の回動に伴って直進スライダ８００が移動し、接触子９０００が対応する抵抗回路上を摺動することにより、操作量に応じた抵抗値が得られる。
【００４０】
これらの組み合わせにより、操作部材４００は周囲の任意方向に操作され、その操作方向及び操作量に応じた信号が、当該多方向入力装置Ａを使用する電子機器等に入力される。
【００４１】
一方、操作部材４００を軸方向に押し下げた場合は、操作部材４００の下方に設けられた押下スイッチ７００が作動する。即ち、操作部材４００の押下操作により、キートップ７１０を介して可動接片７２０が押し下げられる。押下された可動接片７２０は、下方に変形し、基板１００上の他方の固定接片７３２に接触する。これにより、一方の固定電極７３１と他方の固定電極７３２との間が導通する。
【００４２】
ここで、押下スイッチ７００は、前記可動接片の端部と前記一方の固定電極と間にスペーサを介在させた構成となっているので、弾性変形する前記可動接片のストロークを長くすることができる。これにより、押下スイッチ７００のクリック感をよくすることができ、その結果、多方向入力措置Ａの押下操作の操作性の良くすることができる。なお、多方向入力措置Ａは、以下のように設計変更することが可能である。
【００４３】
多方向入力措置Ａは、ここでは、スペーサ７４０を可動接片７２０の端部７２１と一方の固定電極７３１との間に介在させるとしたが、スペーサ７４０に替えて、スペーサ７４０と同様の係合手段が形成された可動接片を可動接片７２０の端部７２１と一方の固定電極７３１との間に介在させるように設計変更することができる。このように設計変更することにより、可動接片７２０の動作力を高荷重に設定することができる。
【００４４】
また、多方向入力措置Ａは、押下スイッチ７００以外の構成は任意であり、適宜設計変更することが可能である。或いは、押下スイッチ７００のみを用い、例えばタクトスイッチとして利用することも当然可能である。
【００４５】
【発明の効果】
本発明に係る請求項１記載の押下スイッチは、基板上に設けられる押下スイッチにおいて、基板上に固定されたケースに上下方向に移動自在に設けられたキートップと、下方向に移動した前記キートップに当接される弾性変形可能な断面視略逆凹字型の可動接片と、前記基板上の前記可動接片の端部の下側に設けられる一方の固定電極と、前記基板上の弾性変形した前記可動接片の中央部と接触し得る位置に設けられる他方の固定電極と、前記可動接片の端部と前記一方の固定電極とを電気的に接続するスペーサとを具備することを特徴としている。
【００４６】
本発明に係る請求項２記載の押下スイッチは、請求項１記載の押下スイッチにおいて、前記可動接片は略円形のドーム型をしている一方、前記一方の固定電極及び前記スペーサは略環状体であることを特徴とする押下スイッチ。
【００４７】
このような請求項１及び２記載の押下スイッチよる場合、前記可動接片の端部と前記一方の固定電極との間にスペーサを介在させているので、弾性変形する前記可動接片の中央部のストロークを長くすることができる。これにより、押下操作のクリック感が良くなり、その結果、操作性が良くなるという顕著な効果を奏する。また、スペーサの厚さ寸法を変えることで、クリック感を変えることができる。
【００４８】
本発明に係る請求項３記載の押下スイッチは、請求項１又は２記載の押下スイッチにおいて、前記ケースには、前記押下スイッチの可動接片が嵌まり込む凹部が設けられている一方、前記押下スイッチのスペーサには、前記ケースと係合する係合手段とが設けられている。
【００４９】
このような請求項３記載の押下スイッチよる場合、前記可動接片は、前記凹部と前記スペーサとによって、位置決めされる。これにより、前記可動接片の組込ズレがなくなり、その結果、可動接片の接触不良を防止することができる。
【００５０】
本発明に係る請求項４記載の押下スイッチは、請求項１、２又は３記載の押下スイッチにおいて、前記ケースには、前記キートップが摺動可能に嵌合する嵌合部が設けられており、前記嵌合部は前記キートップが前記可動接片の中央部に接触し得るように配設されていることを特徴とする押下スイッチ。
【００５１】
このような請求項４記載の押下スイッチよる場合、前記嵌合部によって前記キートップは位置決めされる。その結果、前記キートップが、可動接片の中央部に当らないということがなくなる。
【００５２】
本発明に係る請求項５記載の多方向入力装置は、基板上に固定されるケースと、ケース内にＸーＹ方向に回動自在に支持される上下一組の回動部材と、上下一組の回動部材の中央部にそれぞれ設けられたＹーＸ方向に延びる長孔を貫通し、周囲方向に操作されることにより各回動部材を回動させると共に、押下操作が可能とされた操作部材と、操作部材及び／又は回動部材を中立位置に弾性的に保持する保持機構と、各回動部材の回動角度に対応する信号を検出する一組の信号検出手段と、操作部材の押下操作によりスイッチングされる請求項１、２、３又は４の押下スイッチとを備えた多方向入力装置において、前記押下スイッチのキートップは、操作部材の下方にケースの底板部を貫通して上下方向に移動自在に設けられている。このような構成による場合、上記押下スイッチと同様の効果を得ることができる。
【図面の簡単な説明】
【図１】本発明の実施の形態に係る多方向入力装置の概略的断面図である。
【図２】同装置の概略的斜視図である。
【図３】同装置の下ケースを下から見た概略的斜視図である。
【図４】同装置の下ケースを上から見た概略的斜視図である。
【図５】図１のａ拡大図である。
【図６】同装置の基板の概略的斜視図である。
【図７】同装置の押下スイッチのスペーサの概略的斜視図である。
【図８】図１のｂ拡大図である。
【符号の説明】
Ａ　　　　　　　多方向入力装置
１００　　　　　基板
２００　　　　　ケース
３１０、３２０　回動部材
４００　　　　　操作部材
５００　　　　　保護機構
６００　　　　　信号検出手段
７００　　　　　押下スイッチ
７１０　　　　　キートップ
７２０　　　　　可動接片
７３１　　　　　一方の固定電極
７３２　　　　　他方の固定電極
７４０　　　　　スペーサ
【図１】
2004103253.tif 000003
【図２】
2004103253.tif 000004
【図３】
2004103253.tif 000005
【図４】
2004103253.tif 000006
【図５】
2004103253.tif 000007
【図６】
2004103253.tif 000008
【図７】
2004103253.tif 000009
【図８】
2004103253.tif 000010